(57)【特許請求の範囲】
【請求項１】
自動車のダッシュボードに車載ホルダを介して装着可能に設けられ、パチンコ遊技機やスロットマシンなど複数種類の遊技機が設置された遊技場の各種の営業情報であるホール情報を自動表示する遊技情報表示装置において、
遊技者が遊技を希望する機種や交換率等の遊技条件を予め設定する設定手段と、
各遊技場の位置を表す位置情報を対応付けて、複数の遊技場のホール情報を記憶するホール情報記憶手段と、
遊技場の外観を撮像してホール画像を取得する撮像手段と、
この撮像手段により取得されたホール画像を表示する画像表示手段と、
現在位置を検出する位置検出手段と、
前記撮像手段による撮像方向を表すカメラ方位を検出する方位検出手段と、
前記現在位置及び前記カメラ方位に基づいて前記撮像手段の撮像エリアを特定する撮像エリア特定手段と、
前記ホール情報記憶手段が記憶する各遊技場のホール情報のうち、前記撮像エリア特定手段により特定された撮像エリア内の位置を表す位置情報が対応付けられたホール情報を抽出する情報抽出手段と、
前記情報抽出手段が抽出したホール情報が、前記設定手段が設定した遊技条件に適合するか否かを判定する判定手段と、
前記判定手段により前記情報抽出手段が抽出したホール情報が、前記設定手段が設定した遊技条件に適合すると判定された場合に、前記画像表示手段により表示されたホール画像に対して、前記遊技条件に適合している旨とともに前記情報抽出手段が抽出したホール情報を重ねて表示する情報表示手段と、
を備えた遊技情報表示装置。
【請求項２】
前記ホール情報記憶手段が記憶するホール情報には、その遊技場に設置された遊技機の機種を特定可能な機種情報が含まれていることを特徴とする請求項１に記載の遊技情報表示装置。
【請求項３】
パチンコ遊技機やスロットマシンなど複数種類の遊技機が設置された遊技場の各種の営業情報であるホール情報を、各遊技場の位置を表す位置情報を対応付けて記憶するホール情報記憶手段、
いずれかの遊技場のホール情報を抽出する情報抽出手段、を有する管理サーバ装置と、
遊技場の外観を撮像してホール画像を取得する撮像手段、
この撮像手段により取得されたホール画像を表示する画像表示手段、
現在位置を検出する位置検出手段、
前記撮像手段による撮像方向を表すカメラ方位を検出する方位検出手段、
遊技者が遊技を希望する機種や交換率等の遊技条件を予め設定する設定手段、
及び前記画像表示手段により表示されたホール画像に、前記管理サーバ装置から受信したホール情報を重ねて表示する情報表示手段、を有し、自動車のダッシュボードに車載ホルダを介して装着可能に設けられる遊技情報表示装置と、が通信可能な状態で接続され、
前記管理サーバ装置は、前記遊技情報表示装置が検出した現在位置及びカメラ方位に基づいて特定される撮像エリア内の位置を表す位置情報が対応付けされたホール情報を抽出し、そのホール情報が前記遊技条件に適合すると判定した場合に、当該ホール情報を前記遊技情報表示装置に送信するように構成されていることを特徴とする遊技情報表示システム。
【請求項４】
遊技場に設置された各遊技機の稼動情報を集計する集計手段、
及びこの集計手段が集計した稼動情報を前記管理サーバ装置に向けて送信する情報提供手段、を有し、各遊技場に設置された遊技場管理装置を含み、
前記管理サーバ装置のホール情報記憶手段が記憶するホール情報には、前記遊技場管理装置から受信した稼動情報が含まれていることを特徴とする請求項３に記載の遊技情報表示システム。
【請求項５】
前記遊技情報表示装置と通信可能であって、該遊技情報表示装置を介して遊技者に特典を付与する特典サーバ装置を含み、
前記遊技情報表示装置は、前記管理サーバ装置が記憶するホール情報のうち、特典付与の条件となる特定情報を含むホール情報を受信したとき、該特定情報を取り込みした旨を表す情報を前記特典サーバ装置に送信し、
前記特典サーバ装置は、前記特定情報を取り込みした旨を表す情報を前記遊技情報表示装置から受信したとき、送信元の遊技情報表示装置を介してその遊技者に特典を付与することを特徴とする請求項３又は４に記載の遊技情報表示システム。
【発明の詳細な説明】
【技術分野】
【０００１】
本発明は、パチンコ遊技機やスロットマシンなどの複数種類の遊技機が設置された遊技場の各種の営業情報を表示する遊技情報表示装置、あるいは遊技情報表示システムに関する。
【背景技術】
【０００２】
従来より、パチンコ遊技機やスロットマシンなどの遊技機が設置された遊技場について、ホール名称や営業時間や設置機種や出玉状況などのホール情報を遊技者がオンラインで閲覧できる閲覧サービスシステムが実用化されている（例えば、特許文献１参照。）。このシステムでは、ホール情報を閲覧したい遊技場をクライアント端末上で指定することにより、そのホール情報の提供を受けることができる。このようなシステムを利用すれば、遊技者が実際に遊技場へ出向かなくても所望のホール情報を得ることが可能となり、非常に便利である。
【０００３】
しかしながら、前記従来の閲覧サービスシステムでは、次のような問題がある。すなわち、遊技者が外出先でたまたま遊技場を見かけたとき等、突発的な状況において直ちにその遊技場を指定することが容易ではなく、そのホール情報をその場で獲得することが難しいという問題がある。
【先行技術文献】
【特許文献】
【０００４】
【特許文献１】特開２００２−５２２１９号公報
【発明の概要】
【発明が解決しようとする課題】
【０００５】
本発明は、前記従来の問題点に鑑みてなされたものであり、ホール情報を閲覧する遊技場を指定する手間を抑制した遊技情報表示装置、及び遊技情報表示システムを提供するための発明である。
【課題を解決するための手段】
【０００６】
本発明の一態様は、自動車のダッシュボードに車載ホルダを介して装着可能に設けられ、パチンコ遊技機やスロットマシンなど複数種類の遊技機が設置された遊技場の各種の営業情報であるホール情報を自動表示する遊技情報表示装置において、
遊技者が遊技を希望する機種や交換率等の遊技条件を予め設定する設定手段と、
各遊技場の位置を表す位置情報を対応付けて、複数の遊技場のホール情報を記憶するホール情報記憶手段と、
遊技場の外観を撮像してホール画像を取得する撮像手段と、
この撮像手段により取得されたホール画像を表示する画像表示手段と、
現在位置を検出する位置検出手段と、
前記撮像手段による撮像方向を表すカメラ方位を検出する方位検出手段と、
前記現在位置及び前記カメラ方位に基づいて前記撮像手段の撮像エリアを特定する撮像エリア特定手段と、
前記ホール情報記憶手段が記憶する各遊技場のホール情報のうち、前記撮像エリア特定手段により特定された撮像エリア内の位置を表す位置情報が対応付けられたホール情報を抽出する情報抽出手段と、
前記情報抽出手段が抽出したホール情報が、前記設定手段が設定した遊技条件に適合するか否かを判定する判定手段と、
前記判定手段により前記情報抽出手段が抽出したホール情報が、前記設定手段が設定した遊技条件に適合すると判定された場合に、前記画像表示手段により表示されたホール画像に対して、前記遊技条件に適合している旨とともに前記情報抽出手段が抽出したホール情報を重ねて表示する情報表示手段と、
を備えた遊技情報表示装置にある。
【０００７】
本発明の一態様は、パチンコ遊技機やスロットマシンなど複数種類の遊技機が設置された遊技場の各種の営業情報であるホール情報を、各遊技場の位置を表す位置情報を対応付けて記憶するホール情報記憶手段、
いずれかの遊技場のホール情報を抽出する情報抽出手段、を有する管理サーバ装置と、
遊技場の外観を撮像してホール画像を取得する撮像手段、
この撮像手段により取得されたホール画像を表示する画像表示手段、
現在位置を検出する位置検出手段、
前記撮像手段による撮像方向を表すカメラ方位を検出する方位検出手段、
遊技者が遊技を希望する機種や交換率等の遊技条件を予め設定する設定手段、
及び前記画像表示手段により表示されたホール画像に、前記管理サーバ装置から受信したホール情報を重ねて表示する情報表示手段、を有し、自動車のダッシュボードに車載ホルダを介して装着可能に設けられる遊技情報表示装置と、が通信可能な状態で接続され、
前記管理サーバ装置は、前記遊技情報表示装置が検出した現在位置及びカメラ方位に基づいて特定される撮像エリア内の位置を表す位置情報が対応付けされたホール情報を抽出し、そのホール情報が前記遊技条件に適合すると判定した場合に、当該ホール情報を前記遊技情報表示装置に送信するように構成されていることを特徴とする遊技情報表示システムにある。
【０００８】
本発明に係る遊技情報表示装置では、前記ホール情報を閲覧したい遊技場の外観を撮像するだけで、その遊技場の前記ホール情報を表示させることができる。例えば、外出先で偶然見かけた遊技場であってもその場で前記ホール情報を閲覧でき、非常に便利である。
【０００９】
本発明の好適な一態様の遊技情報表示装置が備えるホール情報記憶手段が記憶するホール情報には、その遊技場に設置された遊技機の機種を特定可能な機種情報が含まれている。
この場合には、遊技場の設置機種を把握できるようになるので、自分が遊技したい機種が設置されているか否かすぐに確認できるようになり非常に便利である。なお、機種毎の設置台数を前記機種情報に含めることも良い。
【００１０】
本発明の好適な一態様の遊技情報表示システムは、遊技場に設置された各遊技機の稼動情報を集計する集計手段、
及びこの集計手段が集計した稼動情報を前記管理サーバ装置に向けて送信する情報提供手段、を有し、各遊技場に設置された遊技場管理装置を含み、
前記管理サーバ装置のホール情報記憶手段が記憶するホール情報には、前記遊技場管理装置から受信した稼動情報が含まれている。
【００１１】
この場合には、表示された前記ホール情報に基づいて、遊技場の出玉状況等の稼動状況を把握できるようになり非常に便利である。
なお、前記遊技情報表示装置が表示するホール情報としては、上記のほか、遊技場の店舗名（ホール名）、営業時間、交換率、イベント内容、大当たりデータなどが考えられる。
【００１２】
本発明の好適な一態様の遊技情報表示システムは、前記遊技情報表示装置と通信可能であって、該遊技情報表示装置を介して遊技者に特典を付与する特典サーバ装置を含み、
前記遊技情報表示装置は、前記管理サーバ装置が記憶するホール情報のうち、特典付与の条件となる特定情報を含むホール情報を受信したとき、該特定情報を取り込みした旨を表す情報を前記特典サーバ装置に送信し、
前記特典サーバ装置は、前記特定情報を取り込みした旨を表す情報を前記遊技情報表示装置から受信したとき、送信元の遊技情報表示装置を介してその遊技者に特典を付与する。
【００１３】
この場合には、前記特定情報を含むホール情報を閲覧するように遊技者を動機付けでき、対応する遊技場まで足を運ばせることが可能になる。イベントと組み合わせて特典を付与すれば、イベント効果を高めることができる。例えば、新規導入イベントを実施する遊技場のホール情報に前記特定情報を付加しておくことも良い。この場合、前記特典サーバ装置は、新規導入機種の製造メーカに設置されたサーバ装置であっても良い。遊技者に対して付与する特典としては、その機種に登場するキャラクタの画像や、演出音楽等を設定しても良い。
【００１４】
なお、前記遊技情報表示システムにおいては、前記撮像エリアを特定する手段を前記遊技情報表示装置側に設けても良く、前記管理サーバ装置側に設けても良い。前記遊技情報表示装置側に設けた場合には、特定された撮像エリアを前記管理サーバ装置に向けて送信するように前記遊技情報表示装置を構成すれば良い。前記管理サーバ装置側に設ける場合には、前記現在位置及び前記カメラ方位を前記管理サーバ装置に向けて送信するように前記遊技情報表示装置を構成すれば良い。
【図面の簡単な説明】
【００１５】
【図１】実施例１における、遊技情報表示システムを示すシステム図。
【図２】実施例１における、管理サーバ装置が記憶するホール情報を説明する説明図。
【図３】実施例１における、情報端末（遊技情報表示装置）のおもて面を示す正面図。
【図４】実施例１における、情報端末の背面を示す正面図。
【図５】実施例１における、情報端末の電気的構成を示すブロック図。
【図６】実施例１における、ホール画像にホール情報が重ねて表示された状態を例示する説明図。
【図７】実施例２における、遊技情報表示システムを示すシステム図。
【図８】実施例３における、情報端末の電気的構成を示すブロック図。
【図９】実施例４における、情報端末の車載例を示す説明図。
【図１０】実施例４における、機種リスト画面を示す正面図。
【図１１】実施例４における、交換レート設定画面を示す正面図。
【発明を実施するための形態】
【００１６】
本発明の実施の形態につき、以下の実施例を用いて具体的に説明する。
（実施例１）
本例は、ホール情報を表示する情報端末１０（遊技情報表示装置）を含む遊技情報表示システム１に関する例である。この内容について、図１〜図６を用いて説明する。
【００１７】
本例の遊技情報表示システム１では、管理サーバ装置３と情報端末１０とがインターネット等の公衆通信回線を介して通信可能な状態で接続されている。
管理サーバ装置３は、図１に示すごとく、液晶ディスプレイ３５０や図示しないプリンタ等を含む出力部３５と、各種の演算処理を実行する装置本体３００と、キーボード３６０及び図示しないマウスを含む入力部３６と、を備えている。装置本体３００は、演算処理を実行するＣＰＵ（Central Processing Unit）を含む制御部３１のほか、ハードディスクドライブ（ＨＤＤ）、ＲＯＭ（Read Only Memory）、ＲＡＭ（Random Access Memory）等を含む記憶部３２、及び情報端末１０との間で各種の情報をやり取りする通信手段３３１を備える送受信部（Ｉ／Ｏ）３３を備えている。
【００１８】
記憶部３２は、複数の遊技場のホール情報を記憶するホール情報記憶手段３２１としての機能を備えている。ホール情報記憶手段３２１は、図２のごとく、遊技情報の位置情報を対応付けてホール情報を記憶している。本例のホール情報は、遊技場の名称であるホール名、営業時間、遊技媒体の交換率、各種のイベント情報等である。
【００１９】
制御部３１は、情報端末１０の撮像エリアを特定する撮像エリア特定手段３１１、撮像エリア内の遊技場のホール情報を抽出する情報抽出手段３１２、としての機能を備えている。撮像エリア特定手段３１１は、情報端末１０からの送信情報に基づいて撮像エリアを特定する。情報抽出手段３１２は、特定された撮像エリア内の位置を表す位置情報が対応付けされたホール情報を、ホール情報記憶手段３２１の記憶データの中から抽出する。
【００２０】
次に、情報端末１０は、図３及び図４のごとく、厚さ１ｃｍ程度の平板状の縦型端末である。そのおもて面（図３参照。）側には、液晶表示部１５１の表示画面１５０が配置され、その上下には、スピーカ１３１及びメニューボタン１２１が配置されている。情報端末１０の背面（図４参照。）側には、カメラ（撮像手段）１１（図５参照。）のレンズ開口部１１１が設けられている。また、情報端末１０の外周側面には、各種のボタン群１２（図３及び図４では図示略。）が配置されている。
【００２１】
液晶表示部１５１は、遊技場の外観を撮像したホール画像を表示する画像表示手段、その遊技場のホール情報を表示する情報表示手段としての機能を備えている。この液晶表示部１５１の表示画面１５０には、シート状のタッチパネル１５３（図５参照。）が積層されている。タッチパネル１５３は、表示画面１５０に表示された操作ボタンとの組み合わせにより、カメラ機能をスタートさせるためのカメラボタン、カメラのシャッターボタン、ホール情報を要求するインフォメーションボタン等の操作手段としての機能を実現する。
【００２２】
情報端末１０の内部には、図５のごとく、制御部２０をなす電気回路が形成された制御基板が収容されている。この制御基板に対しては、ＣＣＤ素子やレンズ等が基板に実装されたカメラ（撮像手段）１１、ＧＰＳ電波を受信するＧＰＳ受信機（位置検出手段）１４、地磁気を利用して方位を検出する方位センサ（方位検出手段）１７、無線ＬＡＮのデータ通信用のアンテナ１６、スピーカ１３１を駆動するアンプ１３０、外周側面の各種のボタン群１２、タッチパネル１５３、液晶表示部（画像表示手段、情報表示手段）１５１等が電気的に接続されている。
【００２３】
制御部２０は、ＣＰＵ２１、記憶素子であるＲＯＭ２２・ＲＡＭ２３、及び入出力インタフェースをなすＩ／Ｏ（Input/Output）部２４等を備えている。Ｉ／Ｏ部２４は、無線ＬＡＮ機能を有する通信手段２４１としての機能を備えている。
ＲＯＭ２２は、ＣＰＵ２１に実行させる各種の処理プログラムを記憶している。
ＲＡＭ２３は、ＣＰＵ２１のワークエリアや一時書き込みにも利用される読み書き可能な記憶素子である。
制御部２０は、ＲＯＭ２２から読み出したプログラムをＣＰＵ２１に実行させることにより、液晶表示部１５１の表示を制御する表示制御手段２１１としての機能を実現する。
【００２４】
次に、本例の遊技情報表示システム１の利用について説明する。ホール情報を閲覧したいときには、情報端末１０の表示画面１５０に表示されたカメラボタン（図示略）をタッチ操作することで、カメラ機能を有効にしてその遊技場の外観を撮像する。カメラ機能が有効になると、表示画面１５０に撮像画像が表示されて液晶表示部１５１がカメラファインダーのように機能する。
【００２５】
図６のように遊技場の全景が収まるようにズーム等の調整を行った後、シャッターボタン（図示略）を操作すれば、遊技場が映り込んだホール画像を取得できる。ホール画像が表示された状態でインフォメーションボタンを操作すると、ＧＰＳ受信機１４により測位された現在位置、及び方位センサ１７により検出されたカメラ方位（撮像方向）が管理サーバ装置３に向けて送信される。
【００２６】
情報端末１０から現在位置及びカメラ方位を受信した管理サーバ装置３は、その現在位置及びカメラ方位に基づいて撮像エリアを特定する。そして、撮像エリア内の位置を表す位置情報が対応付けされたホール情報をホール情報記憶手段３２１の記憶データの中から抽出し、現在位置等の送信元の情報端末１０に対して送信する。
【００２７】
ホール情報を受信した情報端末１０は、表示画面１５０に表示するホール画像に対してそのホール情報を表示するインフォメーション表示１５５を図６のように重ねて表示する。インフォメーション表示１５５のうちのイベント情報表示１５５Ａについては、タッチ操作が可能になっている。イベント情報表示１５５Ａをタッチ操作すれば、遊技場で実施されるイベントの詳細内容を表示させることができる。
【００２８】
このように、本例の遊技情報表示システム１では、情報端末１０により遊技場の外観を撮像するだけでホール情報を取得できる。たまたま通り掛かった遊技場であっても直ちにホール情報を取得できるので非常に便利である。
【００２９】
なお、本例の遊技情報表示システム１に対して、公衆回線を介して情報端末１０と通信可能な特典サーバ装置（図示略）を追加することも良い。例えば、この特典サーバ装置は、遊技機の製造メーカ等に設置されている。そのメーカの遊技機のイベントの実施中に前記イベント情報表示１５５Ａをタッチ操作してイベントの詳細内容（特定情報）を表示させると、その旨が特典サーバ装置に通知される。通知を受けた特典サーバ装置は、通知元の情報端末１０を介してその遊技者に特典を付与する。特典は、例えば、その遊技機の演出に登場するキャラクタの画像データや、演出音楽の楽曲データ等である。
【００３０】
情報端末１０としては、本例において説明したような機能を実現した専用機であっても良いが、ゲーム機やスマートフォン等、所定のソフトウェアをインストールすることで上記の機能を実現できる汎用機であっても良い。専用機の場合であれば、様々な機種の表示パターンテーブルを予め記憶させておくことも良い。
【００３１】
なお、本例の遊技情報表示システム１では、現在位置及びカメラ方位に基づいて撮像エリアを特定する手段を管理サーバ装置３に設けている。これに代えて、撮像エリア特定手段を情報端末１０に設けると共に、撮像エリアを送信するように情報端末１０を構成しておくことも良い。
【００３２】
本例では、情報端末１０の表示画面１５０に表示されたシャッターボタンを操作することによりホール画像を取得し、同様のインフォメーションボタンを操作することにより管理サーバ装置３からホール情報を取得している。シャッターボタンやインフォメーションボタン等は、必須の構成ではなく、これらのボタンを操作しないで管理サーバ装置３からホール情報を取得するようにしても良い。すなわち、表示画面１５０に遊技場の撮像画像が表示されたときに自動で管理サーバ装置３へ現在位置及びカメラ方位を送信し、管理サーバ装置３からホール情報を取得することも良い。
【００３３】
（実施例２）
本例は、実施例１の遊技情報表示システムを基にして、各遊技場に設置された遊技場管理装置４を追加した例である。この内容について、図７を参照して説明する。
遊技場管理装置４は、データの記憶容量やＣＰＵの計算能力等の違いがあるものの、実施例１の管理サーバ装置３とほぼ同様のハードウェア構成を有する装置である。
【００３４】
遊技場管理装置４は、場内に設置された各遊技機の稼動情報を集計する集計手段４０１、イベント等の営業情報を従業員等が入力する入力手段４０２、稼動情報や営業情報等を管理サーバ装置３に向けてアップロードする情報提供手段４０３としての機能を備えている。
集計手段４０１により集計される稼動情報としては、設置された各遊技機におけるゲームの実行回数、大当たり抽選の実行回数、大当たりの発生回数、出玉率等がある。
【００３５】
管理サーバ装置３は、各遊技場側から受信した稼動情報や営業情報を基にして、送信元の遊技場について記憶しているホール情報を自動更新する。なお、遊技場管理装置４の送信情報には、その遊技場の位置情報が対応付けされている。管理サーバ装置３は、対応付けされた位置情報を利用して、稼動情報の送信元に当たる遊技場のホール情報を特定する。
なお、その他の構成及び作用効果については、実施例１と同様である。
【００３６】
（実施例３）
本例は、実施例１の遊技情報表示システムの情報端末を基にして、単体で動作するスタンドアロン型の情報端末を実現した例である。この内容について、図８を参照して説明する。
本例の情報端末１０は、実施例１の管理サーバ装置が備える手段とほぼ同様に構成された撮像エリア特定手段２１４、ホール情報記憶手段２２１、及び情報抽出手段２１５を備えている。
【００３７】
この情報端末１０によれば、ホール画像を取得する際、現在位置及びカメラ方位に基づいて撮像エリアを特定できる。そして、記憶しているホール情報の中から、その撮像エリア内の遊技場のホール情報を抽出し、表示画面１５０に表示させることができる。
このように、本例の情報端末１０は、管理サーバ装置３との間で情報のやり取りをすることなく撮像されたホール画像に対応するホール情報を表示できる。
【００３８】
なお、ホール情報を情報端末１０に供給する方法としては、ＳＤメモリカード等のメモリ媒体を利用する方法のほか、インターネット等を介してダウンロードしたホール情報を内蔵するＲＯＭ、ＲＡＭ等に記憶させておく方法等がある。
なお、その他の構成及び作用効果については実施例１と同様である。
（実施例４）
本例は、実施例１の遊技情報表示システムを基にして、遊技条件に適合する遊技場のホール情報を自動表示できるように構成を変更した例である。この内容について、図９〜図１１を参照して説明する。
【００３９】
本例の情報端末１０は、図９のごとく、車載ホルダ１０１を介して自動車のダッシュボード１００に装着可能である。この情報端末１０は、予め設定した機種や交換率等の遊技条件に適合する遊技場に近づいたとき、遊技条件に適合している旨と共にその遊技場のホール情報を自動表示する。本例の情報端末１０は、上記の遊技条件を設定するための設定手段、及びホール情報が遊技条件に適合しているか否かを判定する判定手段を備えている。
【００４０】
情報端末１０では、表示画面１５０に表示された機種リスト画面１０５（図１０）や、交換レート設定画面１０７（図１１）等を利用して機種や交換率等を設定可能である。例えば、機種リスト画面１０５では、表示画面１５０をなぞるような上下方向のタッチ操作によって様々な機種を表示でき、遊技を希望する機種名にタッチ操作することでその機種を選択できる。また、交換レート設定画面１０７では、上矢印１０７Ａあるいは下矢印１０７Ｂをタッチすることでレート表示欄１０７Ｃに表示された交換率を変更できる。希望の交換率が表示されたときにレート表示欄１０７Ｃにタッチすれば、その交換率を設定可能である。
【００４１】
さらに、本例の情報端末１０では、前方画像を連続撮影する自動モードを設定可能である。自動モードが設定された情報端末１０は、現在位置及びカメラ方位の検出を一定時間毎（１〜２秒毎）に繰り返し実行すると共に、車両の前方風景を撮影して表示画面１５０に表示する。検出された現在位置及びカメラ方位は、その都度、管理サーバ装置に送信される。
【００４２】
管理サーバ装置は、情報端末１０の現在位置及びカメラ方位に基づいて撮像エリアを特定すると共に、その撮像エリア内に位置する位置情報が対応付けされたホール情報の抽出を試みる。管理サーバ装置は、いずれかのホール情報を抽出できたとき、その都度、そのホール情報を情報端末１０に送信する。
【００４３】
情報端末１０は、受信したホール情報を遊技条件と対比し、条件に適合しているか否かの判定を実行する。遊技条件に非適合であれば、受信したホール情報の表示は行わない。一方、遊技条件に適合していれば、表示画面１５０の前方画像（このときには遊技場が映り込んだホール画像となっている。）に、遊技条件に適合している旨と共にそのホール情報を重ねて表示する（図９参照。）。
【００４４】
なお、本例に代えて、現在位置及びカメラ方位に加えて、遊技条件を管理サーバ装置に送信しても良い。ホール情報が遊技条件に適合しているか否かを管理サーバ装置側で判定して、適合した場合にのみホール情報を情報端末に送信しても良い。この場合、情報端末１０側では、管理サーバ装置から受信したホール情報を全て表示すれば良い。
なお、本例の技術的思想は、実施例３と同様にスタンドアローン型で実現することも可能である。
なお、その他の構成及び作用効果については、実施例１あるいは実施例３と同様である。
【００４５】
以上、実施例のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形あるいは変更した技術を包含している。
【符号の説明】
【００４６】
１…遊技情報表示システム、１０…情報端末（遊技情報表示装置）、１１…カメラ（撮像手段）、１４…ＧＰＳ受信機（位置検出手段）、１７…方位センサ（方位検出手段）、１５０…表示画面、１５１…液晶表示部（画像表示手段、情報表示手段）、２０…制御部、２１…ＣＰＵ、２１１…表示制御手段、２１４、３１１…撮像エリア特定手段、２１５、３１２…情報抽出手段、２２…ＲＯＭ、２２１、３２１…ホール情報記憶手段、２３…ＲＡＭ、２４…Ｉ／Ｏ部、３…管理サーバ装置、４…遊技場管理装置、４０１…集計手段、４０２…入力手段、４０３…情報提供手段
【図１】
0005855887.tif 000002
【図２】
0005855887.tif 000003
【図３】
0005855887.tif 000004
【図４】
0005855887.tif 000005
【図５】
0005855887.tif 000006
【図６】
0005855887.tif 000007
【図７】
0005855887.tif 000008
【図８】
0005855887.tif 000009
【図９】
0005855887.tif 000010
【図１０】
0005855887.tif 000011
【図１１】
0005855887.tif 000012